(57)【要約】【課題】新規なガスバッグモジュールを提供する。【解決手段】ほぼ円筒状のガス発生器（１４）と、少なくとも１つの点火器（１６）と、ガス発生器（１４）を固定したハウジング（１０）とを有するガスバッグモジュールであって、その特徴とするところは、点火器（１６）がガス発生器（１４）から半径方向に延びかつハウジング（１０）に固定され、ハウジング（１０）とガス発生器（１４）との間でクランプされたガスバッグ（１２）を設けたことである。【選択図】  図３
2004331059.tif 000002
【特許請求の範囲】
【請求項１】
ほぼ円筒状のガス発生器（１４）と、少なくとも１つの点火器（１６）と、上記ガス発生器（１４）を固定したハウジング（１０）とを有するガスバッグモジュールにおいて、
上記点火器（１６）が上記ガス発生器（１４）から半径方向に延び、かつ上記ハウジング（１０）に固定され、
上記ハウジング（１０）と上記ガス発生器（１４）との間でクランプされたガスバッグ（１２）を設けた、
ことを特徴とするガスバッグモジュール。
【請求項２】
上記点火器（１６）が上記ハウジング（１０）の開口（１８）を通って当該ハウジングから延びることを特徴とする請求項１に記載のガスバッグモジュール。
【請求項３】
上記点火器（１６）が保持幾何学形状（２０）を具備し、同保持幾何学形状により、当該点火器は、上記ガス発生器が上記ハウジング（１０）に強固に接続されるように、当該ハウジングで捕捉されることを特徴とする請求項１及び２のいずれかに記載のガスバッグモジュール。
【請求項４】
上記保持幾何学形状（２０）が雄ネジであり、上記ガス発生器が上記ハウジングと一緒に強固に螺合されるように、ナットが上記雄ネジ上に螺合されることを特徴とする請求項３に記載のガスバッグモジュール。
【請求項５】
上記保持幾何学形状（２０）が溝であり、上記ガス発生器が上記ハウジングに強固に接続されるように、保持リングが上記溝内に挿入されることを特徴とする請求項３に記載のガスバッグモジュール。
【請求項６】
上記ハウジング（１０）が上記ガス発生器（１４）のための桶形状の受け入れ区分（２６）を有することを特徴とする請求項１ないし５のいずれかに記載のガスバッグモジュール。
【請求項７】
上記ガス発生器（１４）が上記ガスバッグ（１２）の内部に位置することを特徴とする請求項１ないし６のいずれかに記載のガスバッグモジュール。
【発明の詳細な説明】
【技術分野】
【０００１】
本発明は、ほぼ円筒状のガス発生器と、少なくとも１つの点火器と、ガス発生器を固定したハウジングとを有するガスバッグモジュールに関する。本発明は特に車両の前部乗員のためのガスバッグモジュールに関する。
【背景技術】
【０００２】
このようなガスバッグモジュールは最小の構成空間及び軽量の重量を必要とすべきである。更に、ガスバッグモジュールは低コストでのその製造を許容するように簡単な構造を有するべきである。最後に、可能な限り高い効率を達成するために、ガスバッグの膨張時に漏洩損失を小さくすべきである。
【発明の開示】
【発明が解決しようとする課題】
【０００３】
本発明の目的は上述の要求を満たす上述の形式の安価なガスバッグモジュールを提供することである。
【課題を解決するための手段】
【０００４】
この目的のため、本発明に係る上述の形式のガスバッグモジュールが提供され、このモジュールでは、点火器がガス発生器から延びかつハウジングに固定され、ガス発生器とハウジングとの間でクランプされたガスバッグが設けられる。本発明はガス発生器をハウジングに固定するために点火器を使用する基礎理念に基づく。かくして、ひとつには、簡単な構造が達成される。その理由は、他の構成に普通使用される締結シート等をなしで済ませることができるからである；ハウジング内でガス発生器を締結するために、とにかく利用できる素子が使用される。締結目的に適する方法でこの素子を設計するためにほんの少ない費用が要求される。更に、漏洩損失が極めて小さい。その理由は、点火器がハウジングの外側から直接接続されていることがあるからである；ハウジングの内側に完全に位置する点火器に対して従来必要であったケーブル等のための通路は必要でない。更なる利点は、ガス発生器の構造上の強度が全体のガスバッグモジュールの機械的な素子強度の関連する部分となるように、ガス発生器をモジュール内に統合できるという事実である。ガスバッグはガス発生器とハウジングとの間でクランプされ、ガスバッグをハウジングに締結するための他の構成において普通使用されるインサートをなしで済ませることができる。従って、少数の素子を有する特に小さな構造が達成される。
【０００５】
点火器をハウジングに締結するために、点火器は保持幾何学形状を備えることができ、この保持幾何学形状により、ガス発生器がハウジングに強固に接続されるように、点火器がハウジングで捕捉される。保持幾何学形状として、特に雄ネジを使用することができ、ハウジングの外側に位置するナットを雄ネジ上に螺合し、このようにして、ガス発生器をハウジングに強固に接続する。同様に、保持幾何学形状として、保持リングを挿入させる溝を使用することができる。
【発明を実施するための最良の形態】
【０００６】
図１ないし３には、ハウジング１０を有するガスバッグモジュールを示す。ハウジング１０は折り畳んだガスバッグ１２及びガス発生器１４を収容するのに役立つ。ここでは円筒状のチューブガス発生器として設計されたガス発生器は作動後に圧縮ガスを供給するようになっており、この圧縮ガスにより、ガスバッグ１２は既知の方法で展開することができる。ハウジング１０は金属シートから作ることができ、一方では、ガスバッグモジュールの他の素子のための装着部として役立ち、他方では、ガスバッグモジュールを車両に締結するのを可能にする。
【０００７】
ガス発生器１４はガス発生器１４の中心線に関して半径方向に配置された２つの点火器１６を具備する。各点火器はそれ自身のガス発生チャージ（装填物）に関連する；ガス発生器は２段形式のものである。しかし、３段以上を有するガス発生器も同様に使用できる。
【０００８】
ハウジング１０は２つの開口１８を具備し、ガス発生器１４の外部に位置する点火器１４の区分はこれらの開口を通ってハウジングから延びる。ハウジングの外部に位置する点火器１６のこれらの区分は各々保持幾何学形状１８を具備し、図１ないし３に示す実施の形態では、保持幾何学形状は雄ネジである。ナット２２が各雄ネジ上に螺合できる。
【０００９】
図３に示すように、ガス発生器１４はガスバッグ１２の内部に位置する。ガス発生器がハウジング１０内に置かれ、ナット２２が締め付けられたとき、ガスバッグ１２は、そこに強固に締結されるように、ガス発生器１４とハウジング１０との間でクランプされる。
【００１０】
図２に示すように、点火器１６はガス発生器１４から離れる方向に向いたその自由端に設けられた、各々１つのプラグ接続部２４を備え、これらのプラグ接続部を介して、２つのガス発生器を点火装置に接続することができる。ガスバッグモジュール内へのワイヤ又は同様のもののための別個の通路は不要であること明らかである。このようにして、特に高い気密が達成される。
【００１１】
図４には、第１の変形例に係るガスバッグモジュールを概略的に示す。この構成においては、ハウジング１０はガス発生器１４のための桶形状の受け入れ区分２６を備える。ガス発生器１４が大きな表面積にわたってハウジング１０の内側上でそれ自体支持できるので、ガス発生器は全体のハウジング１０の構造上の強度に決定的に寄与する。
【００１２】
図５には、第２の変形例を示す。第１の変形例との違いは、桶形状の受け入れ区分２６が一層深いものとして具体化されていることである。
【図面の簡単な説明】
【００１３】
【図１】本発明に係るガスバッグモジュールの分解部品斜視図である。
【図２】組立てたガスバッグモジュールの底斜視図である。
【図３】本発明に係るガスバッグモジュールを通る断面図である。
【図４】第１の変形例に係るガスバッグモジュールの概略断面図である。
【図５】第２の変形例に係るガスバッグモジュールの概略断面図である。
【符号の説明】
【００１４】
１０    ハウジング
１２    ガスバッグ
１４    ガス発生器
１６    点火器
２２    ナット
２６    桶形状の受け入れ区分
【図１】
2004331059.tif 000003
【図２】
2004331059.tif 000004
【図３】
2004331059.tif 000005
【図４】
2004331059.tif 000006
【図５】
2004331059.tif 000007